(57)【要約】【課題】閉鎖遊技空間内の遊技手段が強力な照明手段の影響を受けず、また回転駆動機構が上下に嵩張ることなく、制御機構や諸部材がキャッチャー本体に多く搭載可能であり、運搬の便も安全且つ良好であり、また発条等弾性体に加えられるテンション並びに把持アームの爪部の微調整が簡便な手順で可能なクレーンゲーム機のキャッチャー及び把持アームを提供する。【解決手段】カムプレート３は、垂在する台座板７に平行に取り付けられ、２本の発条５は、把持アーム幹部とテンション杆６の下端との間に介装される。テンション杆６には、縦方向、円弧状方向のテンション杆取付用溝９が穿設され、発条５のテンションの強弱、左右バランスの変化調節は自在である。また把持アーム１の先端の爪部は、把持アーム１とは別部材であって、把持アーム１との角度を自在に調節固定できる。閉鎖遊技空間の制御機構の構成部材には、ホールＩＣが使用される。【選択図】図１
2005237939.tif 000002
【特許請求の範囲】
【請求項１】
透明ないし着色透明或いは半透明素材により閉鎖された空間内に照明手段を配した遊技機であって、該閉鎖空間内に設けられた遊技手段を用いて景品獲得することを目的とし、前記遊技手段を前記閉鎖空間外より操作する遊技機において、前記閉鎖空間内の遊技手段の構成部材にホールＩＣが備えられたことを特徴とする景品獲得ゲーム機。
【請求項２】
透明ないし着色透明或いは半透明素材により閉鎖された空間内に照明手段を配した遊技機であって、該閉鎖空間が景品収容陳列空間を構成し、該景品収容陳列空間内で、前後左右及び上下に移動可能に吊下手段を構成部材とし、これによってキャッチャー本体が吊下されるキャッチャーと、該キャッチャー本体に枢結され景品を把持するための複数本の把持アームと、該把持アームに閉脚方向への引力を加える発条等弾性体と、該把持アームを開脚させる作動手段が装設され、該作動手段が、回転駆動機構に連結されたカムプレートと、該カムプレートにその側面が圧接する軸状回転体が備えられたキャッチャーを備える景品獲得ゲーム機、いわゆるクレーンゲーム機において、前記カムプレートが、前記吊下手段に対して平行に設けられたことを特徴とする景品獲得ゲーム機のキャッチャー。
【請求項３】
透明ないし着色透明或いは半透明素材により閉鎖された空間内に照明手段を配した遊技機であって、該閉鎖空間が景品収容陳列空間を構成し、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャーを備える景品獲得ゲーム機、いわゆるクレーンゲーム機であって、前記吊下手段が、キャッチャー本体を吊上下する線状体と、該線状体を内蔵し短径のものより順に伸縮ないし収納自在の外径の異なる複数個の管状体により構成された景品獲得ゲーム機、いわゆるクレーンゲーム機において、前記線状体の末端部が、最短径管状体の上部に固設されたことを特徴とする景品獲得ゲーム機のキャッチャー。
【請求項４】
透明ないし着色透明或いは半透明素材により閉鎖された空間内に照明手段を配した遊技機であって、該閉鎖空間が景品収容陳列空間を構成し、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャーを備える景品獲得ゲーム機、いわゆるクレーンゲーム機において、前記把持アームに連設される把持爪が、把持アーム固定板部材及び該把持アーム固定板部材に回動自在に枢結される先端爪部材とにより構成され、該先端爪部材と前記把持アーム固定板部材との角度が自在に調整固定可能であることを特徴とする景品獲得ゲーム機の把持アーム。
【請求項５】
透明ないし着色透明或いは半透明素材により閉鎖された空間内に照明手段を配した遊技機であって、該閉鎖空間が景品収容陳列空間を構成し、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャー及び該キャッチャー本体部を被覆し把持アームを露出させるハウジングを備えた景品獲得ゲーム機、いわゆるクレーンゲーム機において、露出した把持アームの随意定位置にて、該定位置より先の部材が着脱自在であることを特徴とする景品獲得ゲーム機。
【請求項６】
景品収容陳列空間内で、前後左右及び上下に移動可能な吊下手段の位置決め手段に、ホールＩＣ制御手段が備えられたことを特徴とする請求項１記載の景品獲得ゲーム機。
【請求項７】
カムプレートと台座板の相互に対峙する面の所定部位に、ホールＩＣ制御手段が設けられたことを特徴とする請求項１記載の景品獲得ゲーム機のキャッチャー。
【請求項８】
キャッチャー本体を構成する台座板に、回転軸を垂直として回転駆動機構が、また発条等弾性体にテンションを加えるテンション杆が取り付けられ、該テンション杆下端とアーム幹域とが、両箇所に両端が固定された発条等弾性体によって引き寄せされる構成であるとともに、該テンション杆に、テンション杆取付用溝及び回転軸を介在させる回転軸介在溝が穿設されたことを特徴とする請求項２記載の景品獲得ゲーム機のキャッチャー。
【請求項９】
最短径管状体の下端域に、キャッチャー本体の上端が嵌合される構成とし、該嵌合部が固定手段により着脱自在であることを特徴とする請求項３記載の景品獲得ゲーム機のキャッチャー。
【請求項１０】
把持アーム固定板部材と先端爪部材との角度調節固定手段が、両部材の何れかに設けられる第一螺着管部と、もう一方の部材に設けられる第二螺着管部と、これらに両開口部から別々に螺挿される固定用螺子とにより構成されたことを特徴とする請求項４記載の景品獲得ゲーム機の把持アーム。
【請求項１１】
テンション杆に穿設されたテンション杆取付用溝に、発条等弾性体へのテンションを左右で異ならせるための円弧状溝が、少なくとも１箇所以上設けられたことを特徴とする請求項８記載の景品獲得ゲーム機のキャッチャー。
【発明の詳細な説明】
【技術分野】
【０００１】
本発明は、景品獲得ゲーム機とそのキャッチャー及び把持アームに関するものである。
【０００２】
景品獲得ゲーム機、特にクレーンゲーム機のキャッチャーと把持アームは、クレーンゲーム機の典型例である俗称ＵＦＯキャッチャーに必須の構成部材である。本発明は、このようなクレーンゲーム機を典型例とする景品獲得ゲーム機及びそのキャッチャーと把持アームに関するものである。
【背景技術】
【０００３】
本発明の背景技術となるものは、キャッチャーについては、特開２００３−１３５８４３である。この技術は、図１１に示されるように、従前より周知となっている技術、即ちアーム１０１の開脚を回転駆動機構１０２に連結された板カム、即ち類楕円矩形状のカムプレート１０３を水平に回転させるものであって、把持アーム幹部１０１ａに垂直下方向に固装される軸状回転体１０４に、周縁が球面状に形成されたカムプレート１０３の周縁が当接することにより、把持アーム１０１の開閉制御が行われる構成である。この場合、回転駆動機構１０２の回転軸１０２ａの回転心が吊下手段の中心線と一致するものであるとともに、把持アーム１０１に閉脚のための引力を加える発条１０５が、縦斜め方向に装設され、発条１０５の把持アーム１０１との係止端でない方の係止端を、調節螺子１０６を用いて垂直方向に上下させることにより、発条１０５の引力の変化、また左右の引力均衡の変化を付けるものとしている。
【０００４】
また本発明の背景技術となるもののうち、把持アーム、特に景品把持に重要な役割を持つ爪部の構成については、本発明と同一発明者による特願２００２−２７２２１３がある。この技術は、把持アームそのものを、枢結部より着脱自在、交換可能としたものである。
【特許文献１】特開２００３−１３５８４３号公報
【特許文献２】特願２００２−２７２２１３号出願明細書
【発明の開示】
【発明が解決しようとする課題】
【０００５】
上記背景技術の１にあっては、左右の把持アーム１０１の閉脚力の微調整は可能ではあるが、２箇所のつまみ螺子１０６を用いて行うため、簡便さに難があり、また板カム、即ちカムプレート１０３が、把持アーム１０１の幹部に、しかも枢動部に装設されるため、閉脚のための引力源となる発条は１０５、垂直方向に装設するか、或いは、背景周知技術に示されるように、カムプレート１０３の下方域において、把持アーム１０１の幹部の間に介設されるほかない。このような構成では、回転駆動機構が円筒状に多くの嵩を占有し、また背景周知技術にあっては。発条１０５の左右均衡に変化を付けたり発条に加えられるテンションの微調整もしにくい構成となってしまう、という課題があった。
【０００６】
上記背景技術の２にあっては、把持アームそのものを、キャッチャー本体とアーム幹部枢結点より交換しなければならず、一般に景品把持のための微調整には、把持アームそのものを多数本用意する必要が生じることも多く、またアーム幹部枢結点は、ハウジングに被覆されてしまうことをかんがみれば、把持アームの枢結装着が煩瑣である、という課題があった。
【０００７】
また当業界においては、透明ないし着色透明或いは半透明素材により閉鎖された空間内に照明手段を配した遊技機であって、該閉鎖空間内に設けられた遊技手段を用いて景品獲得することを目的とし、前記遊技手段を前記閉鎖空間外より操作する遊技機は、ハロゲン照明器具を用いるものが近来出現し、しかも前後左右及び上下に移動可能な吊下手段の位置決め手段には、光学センサを使用するために、強力なハロゲン光線により誤作動を生じることも多かった。
【０００８】
本発明はこのような課題にかんがみ、閉鎖遊技空間内の遊技手段が強力な照明手段の影響を受けず、また回転駆動機構が上下に嵩張ることなく、制御機構や諸部材がキャッチャー本体に多く搭載可能であり、運搬の便も安全且つ良好であり、また発条等弾性体に加えられるテンション並びに把持アームの爪部の微調整が簡便な手順で可能なクレーンゲーム機のキャッチャー及び把持アームを提供することを目的とする。
【課題を解決するための手段】
【０００９】
本発明は、透明ないし着色透明或いは半透明素材により閉鎖された空間内に照明手段を配した遊技機であって、該閉鎖空間内に設けられた遊技手段を用いて景品獲得することを目的とし、前記遊技手段を前記閉鎖空間外より操作する遊技機において、前記閉鎖空間内の遊技手段の構成部材にホールＩＣが備えられたことを最も主要な課題解決手段の１とするものである。
【００１０】
また本発明は、透明ないし着色透明或いは半透明素材により閉鎖された空間内に照明手段を配した遊技機であって、該閉鎖空間が景品収容陳列空間を構成し、該景品収容陳列空間内で、前後左右及び上下に移動可能に吊下手段を構成部材とし、これによってキャッチャー本体が吊下されるキャッチャーと、該キャッチャー本体に枢結され景品を把持するための複数本の把持アームと、該把持アームに閉脚方向への引力を加える発条等弾性体と、該把持アームを開脚させる作動手段が装設され、該作動手段が、回転駆動機構に連結されたカムプレートと、該カムプレートにその側面が圧接する軸状回転体が備えられたキャッチャーを備える景品獲得ゲーム機、いわゆるクレーンゲーム機において、前記カムプレートが、前記吊下手段に対して平行に設けられた構成を最も主要な課題解決手段の２とするものである。
【００１１】
本発明は、また、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャーを備えるクレーンゲーム機であって、前記吊り下げ手段が、キャッチャー本体を吊上下する線状体と、該線状体を内蔵し短径のものより順に伸縮ないし収納自在の外径の異なる複数個の管状体により構成されたクレーンゲーム機において、前記線状体の末端部が、最短径管状体の上部に固設された構成を、最も主要な課題解決手段の３としている。
【００１２】
さらに本発明は、クレーンゲーム機の把持アームについては、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャーを備えるクレーンゲーム機において、前記把持アームに連設される把持爪が、把持アーム固定板部材及び該把持アーム固定板部材に回動自在に枢結される先端爪部材とにより構成され、該先端爪部材と前記把持アーム固定板部材との角度が自在に調整固定可能である構成を最も主要な課題解決手段の４とする。
【００１３】
これに加え本発明は、透明ないし着色透明或いは半透明素材により閉鎖された空間内に照明手段を配した遊技機であって、該閉鎖空間が景品収容陳列空間を構成し、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャー及び該キャッチャー本体部を被覆し把持アームを露出させるハウジング体を備えた景品獲得ゲーム機、いわゆるクレーンゲーム機において、露出した把持アームの随意の定位置にて、該定位置より先の部材が着脱自在である構成を最も主要な課題解決手段の４とするものである。
【００１４】
本発明の最も主要な特徴である課題解決手段のうち、第１の構成のもとに、本発明は、景品収容陳列空間内で、前後左右及び上下に移動可能な吊下手段の位置決め手段に、ホールＩＣ制御手段が備えられた構成、ならびに、カムプレートと台座板の相互に対峙する面の所定部位に、ホールＩＣ制御手段が設けられた構成をそれぞれとりうるものである。
【００１５】
本発明の最も主要な特徴である課題解決手段のうち、第２の構成のもとに、本発明は、キャッチャー本体を構成する台座板に、回転軸を垂直として回転駆動機構が、また発条等弾性体にテンションを加えるテンション杆が取り付けられ、該テンション杆下端とアーム幹域とが、両箇所に両端が固定された発条等弾性体によって引き寄せられる構成であるとともに、該テンション杆に、テンション杆取付用溝及び回転軸を介在させる回転軸介在溝が穿設された構成をとりうるものであり、このような構成のもとに、本発明はさらに、テンション杆に穿設されたテンション杆取付用溝に、発条等弾性体へのテンションを左右で異ならせるための円弧状溝が、少なくとも１箇所以上設けられた構成をとりうるものとしている。
【００１６】
本発明の最も主要な特徴である課題解決手段のうち、第３の構成のもとに、本発明は、最短径管状体の下端域に、キャッチャー本体の上端が嵌合される構成とし、該嵌合部が固定手段により着脱自在である構成をとりうるものであり、また、本発明の最も主要な特徴である課題解決手段のうち、第４の構成のもとに、本発明は、把持アーム固定板部材と先端爪部材との角度調節固定手段が、両部材の何れかに設けられる第一螺着管部と、もう一方の部材に設けられる第二螺着管部と、これらに両開口部から別々に螺挿される固定用螺子とにより構成されうるものである。
【００１７】
さらに本発明は、透明ないし着色透明或いは半透明素材により閉鎖された空間内に照明手段を配した遊技機であって、該閉鎖空間が景品収容陳列空間を構成し、景品収容陳列空間内で、前後左右及び上下に移動可能に吊下手段によって吊下されるキャッチャー本体と、該キャッチャー本体に枢結され景品を把持するための複数本の把持アームと、該把持アームに閉脚方向への引力を加える発条等弾性体と、該把持アームを開脚させる作動手段が装設されたキャッチャー及び該キャッチャー本体部を被覆し把持アームを露出させるハウジングを備えた景品獲得ゲーム機、いわゆるクレーンゲーム機において、露出した把持アームの随意定位置にて、該定位置より先の部材が着脱自在である構成を最も主要な課題解決手段の５とするものである。
【発明の効果】
【００１８】
本発明にかかる上述の課題解決手段により、まず、閉鎖空間内の遊技手段の構成部材にホールＩＣが備えられたことにより、閉鎖遊技空間内における遊技手段の構成部材のうち、吊下手段の平面的な縦横の移動、カムプレートの動きは、閉鎖遊技空間内の照明器具、すなわち最近特に多用傾向のあるハロゲンランプなどの強い光線による光学的な影響を受けない。その結果、閉鎖遊技空間外に設けられた操作手段の操作が、遊技に正確に伝達され、従前のごとく光学センサを使用していたものと比べ、誤作動を起こさない。
【００１９】
また、ホールＩＣは、豆粒大の磁性体であるため、感磁性素材を吊下手段の軌道に用いれば、停止位置等の決定は、自在且つ頗る簡便に変更することが可能となる。ホールＩＣの軌道ほか感磁性素材への貼着は頗る簡便であり、目盛りなど指示手段をチップ板などに付ければ、制御の精度も増す。
【００２０】
吊下手段に対して平行に設けられたカムプレートは、これが連結される回転駆動機構において、その回転軸が水平となり、回転駆動機構の主要部がキャッチャーの一面より突出する形態となる。と同時に、反対面は、平坦な形状となる。この平坦な形状の部分には、カムプレート並びにホールＩＣ制御手段が設けられるが、ホールＩＣ制御手段も、２個の塊状部材のうち、感磁センサ部材がチップ板に貼着され、他方磁性部材が回転板に固装される。チップ板の裏面は平板状である。
【００２１】
景品獲得ゲーム機のうち、クレーンゲーム機のキャッチャーは、一般に、作動機構を左右対称なハウジングで覆蔽するのが常であるが、前項に記載のごとく、一面に回転駆動機構が突出すれば、もう片面は平板状になり、ハウジングに覆蔽されたとき、ハウジングとチップ板との間に比較的大きな空間が留保され、この部分にいろいろな制御機構や諸部材を搭載することが可能であるとともに、キャッチャーのハウジングの高さが低くなり、製造コスト減を奏し、また優れた美観を呈するばかりでなく、上下可動域が拡大する。
【００２２】
ハウジングより露出した把持アームの随意定位置にて、該定位置より先の部材が着脱自在であれば、把持アームの交換の必要が生じたときは、ハウジングをその都度取り外して行う必要がなくなり、交換作業の効率は、飛躍的に増大する。
【００２３】
通常カムプレートは、把持アームの開閉に合わせ、類楕円矩形状であり、把持アームの根幹部に突設される軸状回転体に常時当接し、カムプレートの短径部分が軸状回転体に当接したときに、発条等弾性体の引力により把持アームが閉脚し、一方カムプレートの長径部分が軸状回転体に当接したときに、発条等弾性体の引力をカムプレートが押し広げ、把持アームが開脚するのが公知技術である。ただこの公知技術については、軸状回転体が垂直下方向に突設されており、周縁が球面状に形成されたカムプレートの周縁が、この軸状回転体に滑動当接するものであるが、本発明においては、従前の公知技術と異なり、ともに吊下手段に対して平行に設けられたカムプレートと軸状回転体とが常時、線当接して作動が行われるため、回転駆動機構からの力の伝導効率は頗る良好である。
【００２４】
回転駆動機構が回転を始めると、ホールＩＣ制御手段により、カムプレートは、景品把持試行開始後景品孔に移動するまで、景品把持試行時に１回転、景品孔上で１回転する。カムプレートの短径部分周縁が軸状回転体に線当接したときに、発条等弾性体の引力により把持アームが閉脚し、カムプレートの長径部分周縁が軸状回転体に線当接したときに、発条等弾性体の引力をカムプレートが押し広げ、把持アームが開脚する。
【００２５】
発条等弾性体の引力による把持アームの閉脚は、キャッチャー本体を構成する台座板に取り付けられたテンション杆により、適宜テンションが加えられ、非ゲーム時、景品把持時には閉脚状態を良好に保持している。テンション杆に、テンション杆取付用溝及び回転軸を介在させる回転軸介在溝が穿設されていれば、上下方向に、自在にテンション杆の位置決めができるため、景品の形状、種類に応じて自在に把持アームの把持力を調節することができる。
【００２６】
またテンション杆に穿設されたテンション杆取付用溝に、発条等弾性体へのテンションを左右で異ならせるための円弧状溝が、少なくとも１箇所以上設けられていれば、上下ばかりでなく、左右の把持アームの把持力に変化、不均衡を人為的に現出させることができるため、景品の形状、種類への対応の幅は、さらに広がることとなる。
【００２７】
一方。吊り下げ手段が、キャッチャー本体を吊上下する線状体と、該線状体を内蔵し短径のものより順に伸縮ないし収納自在の外径の異なる複数個の管状体により構成されたクレーンゲーム機は、ごく一般的であるが、このようなクレーンゲーム機の吊下手段を構成する線状体の末端部が、最短径管状体の上部に固設されると、線状体は、キャッチャーを吊上下するものではなく、最短径管状体を吊上下するものとなる。
【００２８】
吊下手段の最上部に線状体を巻き取るための回転駆動を連設したプーリを設けるのは、ごく一般的な構成であるが、このような一般的な構成において、線状体を巻き取るプーリのフランジより線状体が外れ、弾性限界を超えて折曲したり、或いはテンションのかからぬまま線状体がプーリに巻き取られるなど、吊下手段を構成する線状体の不測の遊動損傷や、プーリの回転に円滑さを欠いたりする事態は、ほとんど生じない。
【００２９】
吊下手段を構成する線状体の末端部が、最短径管状体の上部に固設されると、線状体は、キャッチャーを吊上下するものではなく、最短径管状体を吊上下するものとなることにより、最短径管状体の下端域に、キャッチャー本体の上端が嵌合される構成とし、該嵌合部が螺子等の固定手段により着脱自在である構成が可能となる。固定手段は螺子に限らず、鈎結、係止などの手段であってもよい。
【００３０】
最短径管状体の下端域に、キャッチャー本体の上端が嵌合される構成とし、該嵌合部が螺子等の固定手段により着脱自在である構成が可能となることにより、キャッチャー本体を吊下手段から簡便に分離して独立安定した状態で運搬可能となり、一方取付も、線状体への連設が不必要な分、非常に簡便なものとなる。
【００３１】
把持アームについては、把持爪が、把持アーム固定板部材及び該把持アーム部材に回動自在に枢結される先端爪部材とにより構成され、該先端爪部材と前記把持アーム固定板部材との角度が自在に調整固定可能であれば、把持アーム全体を枢結点から交換する必要もなく、景品把持に重要な要素となる先端爪部材と前記把持アーム固定板部材との角度の調整が、簡便に行われることとなる。特に把持アーム固定板部材と先端爪部材との角度調節固定手段が、両部材の何れかに設けられる第一螺着管部と、もう一方の部材に設けられる第二螺着管部と、これらに両開口部から別々に螺挿される固定用螺子とにより構成されていれば、強度は２倍となるうえに、ボルトナットを用いて緊締を行うときのような、即ち、一方の手でナットを押さえつつ微調整を行うためボルトを締めていくというような煩瑣な手順を経ることなく、把持アーム固定板部材と先端爪部材との角度を調節固定することができる。
【発明を実施するための最良の形態】
【００３２】
以下本発明景品獲得ゲーム機及びそのキャッチャーと把持アームの最良の実施形態を図面を参照しつつ詳述する。
【００３３】
図１は、本発明クレーンゲーム機のキャッチャー及び把持アームの最良実施形態の要部正面図である。また図２（ａ）は同把持アーム閉脚時側面図、（ｂ）は、把持アーム開脚時側面図である。これら図１、図２（ａ）（ｂ）に示されるように、本実施形態のキャッチャーは、吊下手段に連結される把持アーム１、把持アーム１に対し回転軸２ａが垂直に設けられた回転駆動機構２、回転駆動機構２の回転軸２ａに連設されるカムプレート３、カムプレート３の周縁３ａが常時、線当接し把持アーム幹部１ａより突設される軸状回転体４及び、軸状回転体４とカムプレート３が常時線当接している状態を保持するための引力を与える２本の弾性体である発条５、及び発条５が係止されこれにテンションが与えられるテンション杆６を主要な構成要素とする。これらは台座板７に取り付けられるものである。発条５は、図２（ａ）（ｂ）では把持アーム１の背後となるため現れない。
【００３４】
回転駆動機構２とカムプレート３の間には、台座板７が介在し、把持アーム１も台座板７に回動自在に枢結される。把持アーム１の根幹部１ａの適宜位置に設けられた発条係止点８には、発条５が係止される。即ち発条５はテンション杆下端６ａと発条係止点８との間に介装される。このようにして、テンション杆下端６ａと発条係止点８との間の発条５によって把持アーム１引き寄せされる構成となっている。なお台座板７は、その主要部が垂直面であるが、最上域はＬ字状に折曲され、水平面７ａとなっている。
【００３５】
テンション杆６には、テンション杆取付用溝９及び回転軸を介在させる回転軸介在溝１０が穿設される。テンション杆６の台座板７への固定は、螺子をもって行う。テンション杆取付用溝９のうち、その根幹溝９ａは螺子の固定に適合する程度、即ち螺子の径より若干広幅の長細矩形であり、回転軸介在溝１０も、回転駆動機構２ないしはそのハウジング部を内挿介在させるに足る幅を有する長矩形である。テンション杆取付用溝９については、発条等弾性体へのテンションを左右で異ならせるため、根幹溝９ａと同じ幅の円弧状溝９ｂ、９ｃ、９ｄ、９ｅが、根幹溝９ａを中心線として、上下の異なる位置に４箇所設けられている。
【００３６】
カムプレート３は、図１に示されるように、類楕円矩形であって、図２（ａ）（ｂ）に示されるように、その台座板７と対峙しない面に、ホールＩＣ制御手段が設けられる。このホールＩＣ制御手段は、カムプレート３の長径端に２箇所１対、短径端に２箇所１対の計４箇所設けられるプレート側センサ１１ａ、１１ｂ、及びこれらプレート側センサに対峙するチップ板１２に２箇所垂直方向に並んで設けられるチップ板側センサ１３ａ、１３ｂを主要構成要素とし、光学的な力に対し、相当の耐久性を有する。
【００３７】
これらプレート側センサ１１ａ、１１ｂ、及びチップ板側センサ１３ａ、１３ｂは、把持アームの開閉手順を示す概略図である図３（ａ）（ｂ）（ｃ）に示されるように、それぞれ把持アーム１の閉脚時、最大開脚時に対応する位置に設けられる。
【００３８】
一方把持アーム１の先端には景品を把持する把持爪１４が連設されるのが通常であるが、把持アーム先端部把持爪部分を示す図４（ａ）（ｂ）（ｃ）に示されるように、この把持爪１４は、把持アーム１とは別部材であり、把持アーム固定板部材１５及び把持アーム固定部材１５に回動自在に枢結される先端爪部材１６とにより構成される。把持アーム固定板部材１５には第一螺着管部１５ａが設けられるとともに、先端爪部材１６には第二螺着管部１６ａが設けられ、これらは、両開口部１７ａ、１７ｂから別々に螺挿される固定用螺子１８ａ、１８ｂとともに、把持アーム固定板部材１５と先端爪部材１６との角度調節固定手段を構成する。
【００３９】
クレーンゲーム機のキャッチャー吊下手段については、本実施形態は。その要部拡大図付上端域正面図である図５に示されるように、吊下手段の最上部に回転駆動を連設したプーリ１９を設け、プーリ１９より、上方にフランジの付された４本の異なる径の管状体２０、２１、２２、２３の中にワイヤ２４を通すのではなく、ワイヤ２４については、ワイヤ２４の末端部２４ａをリング状に構成し、４本の異なる径の管状体２０、２１、２２、２３のうち、最短径管状体２０の上部に固設する。ワイヤ２４の巻き上げ、巻き戻しすることによりキャッチャーを上下作動させることについては、公知技術と同じである。これら４本の異なる径の管状体２０、２１、２２、２３は、吊下手段管状体部伸長時を示す透視側面図である図６（ａ）に示されるように、上方にフランジを有すると共に、異なる径の管状体の伸縮を円滑に行うための合成樹脂製スペーサーが、これらの継ぎ目３箇所に、外側よりＰ、Ｑ、Ｒとして設けられている。
【００４０】
また、図５に示されるように、ワイヤ２４を、テンション螺子２５を囲繞するスイッチリング２６に当接させ、景品把持時など、ワイヤ２４に張力がかかれば、スイッチリング２６に押力を生じ、スイッチリング２６がスイッチ杆２７に押力を加え、作動制御スイッチ２８がオンの状態となる。逆に景品開放時など、ワイヤ２４の張力が緩めばスイッチリング２６のスイッチ杆２７への押力は解消し、作動制御スイッチ２８は、オフの状態となる構成も公知技術を用いたものである。
【００４１】
ワイヤ２４の末端部２４ａをリング状に構成し、３本の異なる径の管状体２０、２１、２２、２３のうち、最短径管状体２０の上部に固設される構成については、吊下手段管状体部収縮時を示す要部斜視図である図６（ｂ）に示されるように、最短径管状体２０の上端域２０ａに、ワイヤ２４の末端部リング２４ａが内挿される切欠部Ｃを留保して、ワイヤ吊下固定螺子２９が螺挿可能となるように、螺挿充填部材３０が固装ないし形成される。螺挿充填部材３０は、ワイヤ吊下固定螺子２９が最短径管状体２０の内部に挿在する範囲で形成され、上記のごとくワイヤ２４の末端部リング２４ａが内挿される空間が留保されるため、中央域がワイヤ末端部リング２４ａの形状に適合する形で切欠部Ｃを有するものとなっている。
【００４２】
このような構成の最短径管状体２０の下端域２０ｂには、キャッチャーの最上域を構成する連結シャフト３１が着脱自在に内嵌固定される。キャッチャーの連結シャフト３１は、台座板７の水平域７ａに固装ないしは形成される。連結シャフト３１は、螺結孔３２ａが形成され、最短径管状体の２０の下端域２０ｂにも、これに対応した位置に螺結孔３２ｂが形成される。よって、吊下手段へのキャッチャーの装着は。連結シャフト３１の螺結孔３２ａと最短径管状体下端域２０ｂの螺結孔３２ｂにキャッチャー装着螺子３３を螺挿して固定装着する。
【００４３】
一方吊下手段の位置決め手段は、横方向軌道３４、縦方向軌道３５、及び横方向軌道３４に摺動自在に係架され吊下手段が固装される基盤プレート３６を主要構成部材とし、横方向軌道３４は、縦方向軌道３５に、係架プレート３７を介し、摺動自在に係架され、縦方向軌道３５は、閉鎖ゲーム空間の上方の両端縁に固装される。横方向軌道３４の摺動、基盤プレート３６の摺動は、それぞれ個別に回転駆動源のプーリに連結された横方向ベルト３８ａ、縦方向ベルト３８ｂによる。なお、ここでいう横方向、縦方向は、遊技時における遊技者から見ての縦横方向である。
【００４４】
図９（ａ）は、吊下手段の第１設定位置における位置決め手段の要部仰視図であり、図９（ｂ）は、第２設定位置における位置決め手段の要部仰視図である。図９（ａ）（ｂ）に示されるように、このような吊下手段の位置決め手段は、基盤プレート３６については、横方向に延在する延在板３４ａに第１横方向軌道側ホールＩＣセンサ３９ａが貼着され、係架プレート３７については、縦方向に垂在する垂在板３７ａに第２横方向軌道側ホールＩＣセンサ３９ｂが貼着される。第１設定位置と第２設定位置とは、吊下手段の停止位置であり、その設定は自在であってよい。
【００４５】
第１設定位置においては、縦方向軌道３５の初期設定所定位置に、横方向に第１チップ板４０、縦方向に第２チップ板４１が、それぞれ垂立固装され、これら第１チップ板４０、第２チップ板４１には、第１横方向軌道側ホールＩＣセンサ３９ａ、第２横方向軌道側ホールＩＣセンサ３９ｂに対応する位置に、第１チップ板側ホールＩＣセンサ４２ａ、第２チップ板側ホールＩＣセンサ４２ｂが貼着される。また第２設定位置においては、縦方向軌道３５の所定位置に、横方向に第３チップ板４３、縦方向に第４チップ板４４が、それぞれ垂立固装され、これら第３チップ板４３、第２チップ板４４には、第３横方向軌道側ホールＩＣセンサ３９ａ、第４横方向軌道側ホールＩＣセンサ３９ｂに対応する位置に、第１チップ板側ホールＩＣセンサ４２ａ、第２チップ板側ホールＩＣセンサ４２ｂが貼着される。
【００４６】
図１０は、本実施形態景品獲得ゲーム機のキャッチャー部分へのハウジング装着を想定した１実施例の側面模式図である。本実施例は、露出した把持アーム１の図１０に示される連結位置４５で、この定位置より先の部材が着脱自在である構成となっているが、この連結位置４５は、この位置、すなわち露出部分の最もハウジング４６寄りの位置でなくともよいが、強度の問題をかんがみれば、図１０に示される連結位置４５で着脱自在とされるのが最も望ましい。
【００４７】
以上のような構成により、カムプレート３は、これが連結される回転駆動機構２において、その回転軸２ａが水平となり、回転駆動機構２がキャッチャーの一面より突出する形態となる。と同時に、反対面は、チップ板１２として、平坦な形状となる。この平坦な形状の部分には、カムプレート３並びにプレート側センサ１１ａ、１１ｂ、チップ板側センサ１３ａ、１３ｂを主要構成要素とするホールＩＣ制御手段が設けられるが、このホールＩＣ制御手段も、２枚の板状部材のうち、一部材がチップ板とセンサより構成されるものであり、チップ板の裏面は平板状である。ホールＩＣ制御手段は、感磁センサを使用し、光学的な力に耐性を有する。そのため、近来ハロゲンランプ等、強い光線をゲーム空間に使用する場合が多いことをかんがみれば、その制御は光線の影響を受けないので、確実な制御が可能である。
【００４８】
同様に、吊下手段の停止位置決め手段、すなわち吊下手段停止位置の制御についても、ハロゲンランプなどの強い光線による誤作動を避けることができる。すなわち、それぞれ個別に回転駆動源のプーリに連結された横方向ベルト３８ａ、縦方向ベルト３８ｂにより、横方向軌道３４及び基盤プレート３６は、それぞれ縦方向軌道３５、横方向軌道３４を係架摺動したのち、図９（ａ）（ｂ）に示された位置にて正確に停止する。
【００４９】
またホールＩＣは、構成素材が小さな磁性体なので、その取付け位置の変更は、簡便であり、自在である。例えば、図９（ａ）の設定から図９（ｂ）の設定への変更は、ホールＩＣの構成素材である小さな磁性体３９ａ〜ｄ、４２ａ〜ｄを張り替えるだけでよい。また張り替え位置を示す目盛りなどの指示手段、或いはこれら磁性体３９ａ〜ｄ、４２ａ〜ｄを嵌着固定する嵌着孔を横一列に配するなどすれば、停止位置の変更は、簡便且つ正確となる。
【００５０】
片面が平板状となったキャッチャーは、ハウジングに覆蔽されたとき、ハウジングとチップ板との間に比較的大きな空間が留保されることになり、この部分にいろいろな制御機構や諸部材、例えば光学的デコレーションなどを搭載することが可能であるとともに、キャッチャーのハウジングの高さが低くなり、製造コスト減を奏し、また優れた美観を呈するばかりでなく、上下可動域が拡大する。
【００５１】
回転駆動機構が回転を始めると、図３に示されるように、ホールＩＣ制御手段により、カムプレート３は、景品把持試行開始後景品孔に移動するまで、景品把持試行時に１回転、景品孔上で１回転する。その際、把持アーム閉脚時においては、カムプレート３の短径端に設けられるプレート側センサ１１ｂは、チップ板側センサ１３ｂに、把持アーム開脚時においては、カムプレート３の長径端に設けられるプレート側センサ１１ａは、チップ板側センサ１３ａに、それぞれ対峙し、開脚状態、閉脚状態の一時停止ないしは、これらの状態を持続させる。
【００５２】
チップ板側カムプレート３の短径部分周縁が軸状回転体４に線当接したときには、発条５の引力により把持アーム１が閉脚し、カムプレート３の長径部分周縁が軸状回転体４に線当接したときには、発条５の引力をカムプレート３が押し広げ、把持アーム１が開脚する。これらの作動は、吊下手段に対して平行な面で行われる。
【００５３】
発条５の引力による把持アーム１の閉脚は、キャッチャー本体を構成する台座板７に、該台座板に取り付けられたテンション杆６により、適宜テンションが加えられ、非ゲーム時、景品把持時には閉脚状態を良好に保持している。テンション杆６に、テンション杆取付用溝９、９ａ、９ｂ〜ｅ及び回転軸２ａを介在させる回転軸介在溝１０が穿設されているので、テンション杆の位置決め自在状態を示す要部略図である図７（ａ）（ｂ）に示されるように、上下方向には根幹溝９ａで位置決めを、左右のテンションに差を生じさせるためには、４箇所に設けられた円弧状溝９ｂ〜ｅで位置決めを行い、これらの組み合わせで自在にテンション杆６の位置決め微調整が簡便にできる。そのため、景品の形状、種類に応じて自在に把持アームの把持力を調節することができる。
【００５４】
ワイヤ２４の末端部リング２４ａが、最短径管状体の上部に固設されると、ワイヤ２４は、キャッチャーを吊上下するものではなく、最短径管状体２０を、吊上下するものとなる。最短径管状体２０の上端域２０ａに、ワイヤ２４の末端部リング２４ａが内挿される切欠部Ｃを留保して、ワイヤ吊下固定螺子２９が螺挿可能となるように、螺挿充填部材３０が固装ないし形成されると、例えばワイヤ吊下固定螺子２９を適宜脱挿した場合、脱挿されて最短径管状体２０の外部に露出したワイヤ吊下固定螺子露出部２９ａは、全管状体並びにスペーサーの厚みよりも長く露出させれば、図８に示されるように、最短径管状体２０が不測に下方へと滑落するのを抑止するストッパー手段としての効果を奏する。
【００５５】
また切欠部Ｃが最短径管状体２０の中央に形成されているため、ワイヤ２４の吊下中心線は常にこの切欠部Ｃによって遊動が少なくなり、プーリ１９による巻き取り、巻き下ろしも円滑に行われる。その結果、ワイヤ２４の折曲など不測の損傷や取り扱いに苦慮するワイヤ２４の遊躍なども起こりにくく、テンション螺子２５を囲繞するスイッチリング２６によるスイッチ杆２７への押力の加減、およびこれに伴う作動制御スイッチ２８のオンとオフの制御が確実なものとなる。
【００５６】
その結果、吊下手段を構成する線状体が、不測の遊動損傷、例えば、吊下手段の最上部に線状体を巻き取るための回転駆動を連設したプーリを設けるのは、ごく一般的な構成であるが、このような一般的な構成において、線状体を巻き取るプーリのフランジより外れ、弾性限界を超えて折曲したり、或いはテンションのかからぬまま線状体がプーリに巻き取られ、プーリの回転に円滑さを欠いたりする事態は、ほとんど生じない。従って、ワイヤ２４の交換も、極めて円滑に行うことができる。
【００５７】
キャッチャーを吊下手段に連設する手順は、極めて簡便である。すなわち、ワイヤ２４が、もはやキャッチャーを吊上下するものではなく、最短径管状体２０を吊上下するものとなっているため、連結シャフト３１の螺結孔３２ａと最短径管状体下端域２０ｂの螺結孔３２ｂにキャッチャー装着螺子３３を螺挿して固定装着すればよい。従前のような、遊躍しがちなワイヤ２４の先端を、管状体の中を挿通させてキャッチャー最上端に係着するという手順は不要である。またその逆、即ち取り外しもキャッチャー装着螺子３３を螺脱するだけで、キャッチャーは吊下手段と別部材となり、運搬や交換を必要とする際に、安全且つ確実、簡便な作業が可能となる。
【００５８】
把持アーム１については、把持爪１４が、把持アーム固定板部材１５及び把持アーム固定板部材１５に回動自在に枢結される先端爪部材１６とにより構成され、先端爪部材１６と把持アーム固定板部材１５との角度が自在に調整固定可能であるため、把持アーム１全体を枢結点から交換する必要もなく、景品把持に重要な要素となる先端爪部材１６と把持アーム固定板部材１５との角度の調整が、簡便に行われることとなる。
【００５９】
把持アーム１全体を枢結点から交換する必要がなくなる効果については、図１０に示される実施例も同様である。この実施例の場合、先端部だけではなく、把持アーム１の主要部１ｂ全体をその幹部１ａに、ハウジング４６を取り外さなくとも着脱自在としたものであるため、運搬、交換の便ともに、すこぶる良好である。
【００６０】
把持アーム固定板部材１５と先端爪部材１６との角度調節固定手段は、第一螺着管部１５ａと、もう一方の部材に設けられる第二螺着管部１６ａと、これらに両開口部１７ａ、１７ｂから別々に螺挿される固定用螺子１８ａ、１８ｂとにより構成されていれば、強度は２倍となるうえに、ボルトナットを用いて緊締を行うときのような、即ち。一方の手でナットを押さえつつ微調整を行うためボルトを締めていく、というような煩瑣な手順を経ることなく、把持アーム固定板部材と先端爪部材との角度を、図４（ｃ）に示されるように調節固定することができる。この強度を保てる調節固定は、把持爪１４が、頻繁に反復使用されるため、クレーンゲームにおいては重要な長所となる。
【００６１】
以上詳述された本発明の最良実施形態から、本発明クレーンゲーム機のキャッチャー及び把持アームによれば、閉鎖遊技空間内の遊技手段が強力な照明手段の影響を受けず、また回転駆動機構が上下に嵩張ることなく、制御機構や諸部材がキャッチャー本体に多く搭載可能であり、運搬の便も安全且つ良好で、さらに発条等弾性体に加えられるテンション並びに把持アームの爪部の微調整が簡便な手順で可能なクレーンゲーム機のキャッチャー及び把持アームが提供される。  
【産業上の利用可能性】
【００６２】
本発明は、俗称ＵＦＯキャッチャーといわれる景品獲得ゲーム機のうちのクレーンゲーム機のキャッチャー及び把持アームにつき、ゲーム提供者側、或いは提供者側に立つゲームのオペレーターにより調整される、いわゆるゲーム機のチューンアップの便、運搬の便、誤作動の回避を追求したものであり、チューンアップ時、運搬時、遊技操作時の課題を解決したものであって、産業上の利用可能性は頗る大きい。
【図面の簡単な説明】
【００６３】
【図１】本発明クレーンゲーム機のキャッチャー及び把持アームの最良実施形態の要部正面図である。
【図２】（ａ）は同把持アーム閉脚時側面図であり、（ｂ）は同把持アーム開脚時側面図である。
【図３】（ａ）（ｂ）（ｃ）は、同把持アームの開閉手順を示す概略図である。
【図４】（ａ）は同把持アーム先端部把持爪部分の上面図、（ｂ）は同把持アーム先端部把持爪部分の正面図、（ｃ）は同把持アーム先端部把持爪部分の側面図である。
【図５】（ａ）は同吊下手段上端域要部正面図であり、（ｂ）はスイッチオン時、（ｃ）はスイッチオフ時の作動制御スイッチ付近拡大図である。
【図６】（ａ）は同吊下手段管状体部伸長時を示す透視側面図であり、（ｂ）は同吊下手段管状体部収縮時を示す要部斜視図である。
【図７】（ａ）（ｂ）は、同テンション杆の位置決め自在状態を示す要部略図である。
【図８】同ワイヤ吊下固定螺子露出部が最短径管状体の滑落抑止ストッパー手段となることを示す概略図である。
【図９】（ａ）は、吊下手段の第１設定位置における位置決め手段の要部仰視図であり、（ｂ）は、第２設定位置における位置決め手段の要部仰視図である。
【図１０】本実施形態景品獲得ゲーム機のキャッチャー部分へのハウジング装着を想定した１実施例の側面模式図である。
【図１１】背景技術１の透視側面図である。
【符号の説明】
【００６４】
１              把持アーム
１ａ            把持アーム幹部
１ｂ            把持アーム主要部
２              回転駆動機構
２ａ            回転軸
３              カムプレート
３ａ            カムプレート周縁
４              軸状回転体
５              発条
６              テンション杆
６ａ            テンション杆下端
７              台座板
７ａ            台座板水平面
８              発条係止点
９              テンション杆取付用溝
９ａ            根幹溝
９ｂ〜ｅ        円弧状溝
１０            回転軸介在溝
１１ａ〜ｂ      プレート側センサ
１２            チップ板
１３ａ〜ｂ      チップ板側センサ
１４            把持爪
１５            把持アーム固定板部材
１５ａ          第一螺着管部
１６            先端爪部材
１６ａ          第二螺着管部
１７ａ〜ｂ      開口部
１８ａ〜ｂ      固定用螺子
１９            プーリ
２０            最短径管状体
２０ａ          最短径管状体上端域
２０ｂ          最短径管状体下端域
２１〜２３      異径管状体
２４            ワイヤ
２４ａ          ワイヤ末端部リング
２５            テンション螺子
２６            スイッチリング
２７            スイッチ杆
２８            作動制御スイッチ
２９            ワイヤ吊下固定螺子
３０            螺挿充填部材
３１            連結シャフト
３２ａ〜ｂ      螺結孔
３３            ワイヤ末端部リング
３４            横方向軌道
３４ａ          延在板
３５            縦方向軌道
３６            基盤プレート
３７            係架プレート
３７ａ          垂在板
３８ａ          横方向ベルト
３８ｂ          縦方向ベルト
３９ａ          第１横方向軌道側ホールＩＣセンサ
３９ｂ          第２横方向軌道側ホールＩＣセンサ
３９ｃ          第３横方向軌道側ホールＩＣセンサ
３９ｄ          第４横方向軌道側ホールＩＣセンサ
４０            第１チップ板
４１            第２チップ板
４２ａ          第１横方向軌道側ホールＩＣセンサ
４２ｂ          第２横方向軌道側ホールＩＣセンサ
４２ｃ          第３横方向軌道側ホールＩＣセンサ
４２ｄ          第４横方向軌道側ホールＩＣセンサ
４３            第３チップ板
４４            第４チップ板
４５            連結位置
４６            ハウジング
Ｃ              切欠部
Ｐ、Ｑ、Ｒ      合成樹脂製スペーサー
１０１          把持アーム
１０１ａ        把持アーム幹部
１０２          回転駆動機構
１０２ａ        回転軸
１０３          カムプレート、板カム
１０４          軸状回転体
１０５          発条
１０６          つまみ螺子
【図１】
2005237939.tif 000003
【図２】
2005237939.tif 000004
【図３】
2005237939.tif 000005
【図４】
2005237939.tif 000006
【図５】
2005237939.tif 000007
【図６】
2005237939.tif 000008
【図７】
2005237939.tif 000009
【図８】
2005237939.tif 000010
【図９】
2005237939.tif 000011
【図１０】
2005237939.tif 000012
【図１１】
2005237939.tif 000013